(57)【特許請求の範囲】
【請求項１】
両端部に軒樋（３０）の前後両側部上端の耳縁（３１、３２）と係合する耳係止部（１１、１２）を備えた支持具本体（１）と、この支持具本体を軒等の固定部に取付ける取付部材（２）とを止具(３)により結合してなる樋支持具において、
支持具本体(１)は一定の幅を有する帯板金具を折り曲げて端部の少なくとも一方の耳係止部(１２)を、支持具本体の端部を垂直下向きに形成した固定垂片(５)と、その内側に相対して内側から外向きに樋の耳縁(３２)の下あごを下から係止するように鉤形に形成した固定係止片(４)とで構成するとともに、
前記一定幅の固定垂片(５)に、該垂片の板面をガイドにして上下スライド自由に抱持された扁平角筒形のリング体からなる可動係止体(６)を設け、該可動係止体(６)は樋の耳縁係合時に樋の耳縁上端に当接して押上げられ、係合と同時に離脱して耳縁の外面に係接するように内向の突片(６ａ)を一体に具備してなることを特徴とする樋支持具の耳係合装置。
【発明の詳細な説明】
【０００１】
【発明の属する技術分野】
本発明は、樋を取付ける樋支持具、さらに詳しくは、樋の上端の耳縁に対してワンタッチで係合させることができるように簡単確実に取付作業を行うことを可能にした樋支持具の耳係合装置に関するものである。
【０００２】
【従来の技術】
従来の樋支持具の耳係合装置としては、特開平９−２７３２７５号公報に記載のものが存在する。この従来の装置は、図１に示すように支持具本体５１の前部の耳係止部を、樋耳縁を下から係止する固定係止片５４と、この固定係止片に相対向する位置に垂設された固定垂片５５とで構成するとともに、固定垂片の面に長孔５６を有し且つこの長孔を介して上下スライド自由にスライドピン５７を対設してなるものである。
【０００３】
【発明が解決しようとする課題】
上記した従来の耳係合装置では、固定垂片５５の面に長孔５６を設けて、この長孔にスライドピン５７を取付けているため、スライドピンを取付けるための長孔を必要とし、而もこの長孔は固定垂片の中央のほぼ全長に旦って相応の広い溝巾に形成されるため、固定垂片の強度が損なわれる結果、該垂片を含む支持具本体５１の板厚、板巾を本来より大きくし高強度のものに製作する必要があり、又長孔及びスライドピンの成形加工にも多大の困難を伴い生産性並びにコストの面で問題点を有していた。
【０００４】
本発明は、上記した従来の技術の有する問題点に鑑みて、固定垂片に設けられていた長孔やスライドピンを廃止して、扁平角筒形をしたリング体からなる簡単な構成の可動係止体を、固定垂片に直に取付けできるようにして前述の欠点を解消しようとすることを課題とすものである。
【０００５】
【課題を解決するための手段】
上記課題を解決するために、本発明における樋支持具の耳係合装置は両端部に軒樋（３０）の前後両側部上端の耳縁（３１、３２）と係合する耳係止部（１１、１２）を備えた支持具本体（１）と、この支持具本体を軒等の固定部に取付ける取付部材（２）とを止具(３)により結合してなる樋支持具において、
支持具本体(１)は一定の幅を有する帯板金具を折り曲げて端部の少なくとも一方の耳係止部(１２)を、支持具本体の端部を垂直下向きに形成した固定垂片(５)と、その内側に相対して内側から外向きに樋の耳縁(３２)の下あごを下から係止するように鉤形に形成した固定係止片(４)とで構成するとともに、
前記一定幅の固定垂片(５)に、該垂片の板面をガイドにして上下スライド自由に抱持された扁平角筒形のリング体からなる可動係止体(６)を設け、該可動係止体(６)は樋の耳縁係合時に樋の耳縁上端に当接して押上げられ、係合と同時に離脱して耳縁の外面に係接するように内向の突片(６ａ)を一体に具備してなるものである。
【０００６】
【発明の実施の形態】
可動係止体は、固定垂片にその全周を抱持する格好に遊嵌合されて該垂片のストレートな面に対して上下スライド自由に取付けられ、樋の耳縁係合時には、耳縁の上端に当接して一旦上方へ押上げられ、耳縁の下あごが固定係止片に係止されると、可動係止体はフリーになって元の位置まで下降し耳縁の外面に係接するため、耳縁は固定係止片と固定垂片との間において可動係止体の押圧によって不動状に固定される。
【０００７】
【実施例】
図２乃至図４に従って一実施例を説明する。
【０００８】
支持具本体１は、一定の幅を有する帯板金属を用いて、その両端部に耳係止部１１・１２を具有する。固定垂片５は支持具本体１の後部をほぼ直角下向きに折曲して形成し、これに可動係止体６を上下スライド自由に取付ける。固定係止片４は、支持具本体１の下面にリベット、又は溶接等で固定し、この固定係止片４と固定垂片５に取付けた可動係止体６とで後部の耳係止部１２となす。
【０００９】
前部の耳係止部１１は、支持具本体１の前端部に上向き突片状のものを一体に又は別体に形成したものを一体に結合して構成する。
【００１０】
支持具本体１の上面のほぼ中央部に取付部材２を止具３により一体に結合する。止具３は図示例の蝶ナットとボルト又はカム式レバーによる締付手段(図示省略)を採用して取付部材２に対して支持具本体１を前後方向に調節可能となす。
【００１１】
取付部材２の後部は、取付け座金２０への取付用脚片２aとなし、座金２０をビス２１にて取付部の面に固定することで一体的に取付けるものである。
【００１２】
可動係止体６は、図５(a)乃至(d)に示すように、扁平角筒形をしたリング体として形成し、その前面部に突起又は折曲片からなる突片６aを具備したものである。図５(a)は前面部中央に丸形突起を取付けたもの、図５(b)は折曲片からなる突片６aを上部に設けたもの、図５(c)は同様の突片６aを下部に設けたものであり、又図５(d)は前面部中央に縦突条を形成したものである。
【００１３】
固定垂片５には、その下端部に近い位置に可動係止体６の抜止用受片５aが一体的に設けられている。図６(e)は、垂片５の後面に横突条からなる受片５aを圧出形成したもの、図６(f)は、垂片５の側部に突起を形成したもの、図６(g)は、切起しによる突片として形成したものであり、図６(h)は丸頭付きねじ又はピンを後面に一体となるように取付けたものである。
【００１４】
【作用】
支持具本体１は、図２に示すように取付部材２により軒先等の固定部に取付け固定されているものとする。この状態で、樋３０を図４の如く支持具本体１に下から近づけて先づ前部の耳縁３１を前部耳係止部１１に係止させ、次いでこの係止部分が支点となるように回転させるように樋の後部を底面より押し上げ、後部の耳縁３２を固定係止片４と固定垂片５の間の直下部に臨ませ、耳縁３２の上端部を可動係止体６に当接するようになす。さらに樋を押上げると、可動係止体６が垂片５をガイドにスライドし耳縁３２とともに上動するため、耳縁３２の下あごが固定係止片４の先端部を通過すると固定係止片４と耳縁下あごとが樋の保有弾力にて係合するに至る。さらにこれと同時に耳縁上端部に当接して押上げられていた可動係止体６はその係合の瞬間に離脱してフリーになったところで自重にてスライド下降し樋の耳縁後面側に突片６aが突き当たるように係接し樋の耳縁の以後における前後方向の動きを完全にロックした如くになる(図３参照)。
【００１５】
【発明の効果】
本発明は上記のように、扁平角筒形のリング体からなる可動係止体を、支持具本体の端部の固定垂片を利用してその全周を抱持するように上下スライド自由に遊嵌合して取付けたものであるから、固定垂片に長孔を形成したり、スライドピンのような係合体を長孔に取付けたりしなくても、樋の耳縁の係合をワンタッチで簡単迅速に、係合後は前後方向の動きを完全に止め、ロックする如く安定した状態に樋を取付けることができ、而も簡単な構成で固定垂片を含む支持具本体の強度を高め、コスト的にも有利な樋耳係合装置を提供することが可能である。
【図面の簡単な説明】
【図１】従来の樋支持具を示す全体斜視図である。
【図２】本発明の一実施例を示す樋支持具の全体斜視図である。
【図３】本発明の樋支持具により樋を取付けた状態の側面図である。
【図４】本発明の樋支持具により樋を取付ける直前の状態を示す側面図である。
【図５】  (a)(b)(c)(d)は夫々可動係止体の実施例を示す斜視図である。
【図６】  (e)(f)(g)(h)は、夫々固定垂片に設けられる可動係止体抜止用の受片の実施例を示す斜視図である。
【符号の説明】
１        支持具本体
２        取付部材
３        止具
４        固定係止片
５        固定垂片
５a       受片
６        可動係止体
６a       突片
１１．１２  耳係止部
３０      樋(軒樋)
３１・３２  耳縁
【図１】
0004156093.tif 000002
【図２】
0004156093.tif 000003
【図３】
0004156093.tif 000004
【図４】
0004156093.tif 000005
【図５】
0004156093.tif 000006
【図６】
0004156093.tif 000007